(57)【要約】  精密ＯＦＤＭシンボル同期化方法は、ＯＦＤＭシンボル中に存在する受信された所定のパイロットからチャンネルインパルス応答（ＣＩＲ）を推定するステップであって、上記所定のパイロットが、ｎ個のキャリア周波数に対応する周波数間隔でＯＦＤＭシンボル内に配置され、それらの位置が一つのＯＦＤＭシンボルから次のＯＦＤＭシンボルへとｋ個のキャリア周波数だけシフトされ、それにより、上記所定のパイロットが、同じ周波数で送信されてｍ個のＯＦＤＭシンボルごとにもたらされ、従ってｍ＊ｋ＝ｎ（ｍ，ｎ及びｋは１よりも大きい整数）となるステップ（３６）と、推定されたチャンネルインパルス応答中の少なくとも一つの出力ピークの位置に従って、ＯＦＤＭシンボルを受信するために使用される時間領域−周波数領域ウィンドウの位置を微調整するステップ（６０）と、を含み、上記推定チャンネルインパルス応答中にチャンネルインパルス応答レプリカが存在する場合には、微調整のために使用される少なくとも一つの出力ピークの位置を見出すために、式（Ｉ）の倍数だけ離間される相関出力ピークの位置が使用され、ＴｕはＯＦＤＭシンボルの変調の継続時間からガード（ｇｕａｒｄ）間隔を差し引いたものである。
2009502078.tif 000002
【特許請求の範囲】
【請求項１】
精密ＯＦＤＭ（直交周波数分割多重）シンボル同期化方法において、
ＯＦＤＭシンボル中に存在する受信された所定のパイロットからチャンネルインパルス応答を推定するステップであって、前記所定のパイロットが、ｎ個のキャリア周波数に対応する周波数間隔でＯＦＤＭシンボル内に配置され、それらの位置が一つのＯＦＤＭシンボルから次のＯＦＤＭシンボルへとｋ個のキャリア周波数だけシフトされ、それにより、ｍ＊ｋ＝ｎ（ｍ，ｎ及びｋは１よりも大きい整数）となるステップと、
推定されたチャンネルインパルス応答中の少なくとも一つの出力ピークの位置に従って、ＯＦＤＭシンボルを受信するために使用される時間領域−周波数領域ウィンドウの位置を微調整するステップと、
を含み、
前記推定チャンネルインパルス応答中にチャンネルインパルス応答レプリカが存在する場合には、微調整のために使用される少なくとも一つの出力ピークの位置を見出すために、Ｔｕ／ｎ（ＴｕはＯＦＤＭシンボルの変調の継続時間）の倍数だけ離間される相関出力ピークの位置が使用されることを特徴とする方法。
【請求項２】
微調整のために使用される各出力ピークの位置は、ｘ個（ｘは３以上の奇数）の最高相関出力ピークの位置から見出されることを特徴とする請求項１に記載の方法。
【請求項３】
微調整のために使用される各出力ピークは、ｍ−１個の最高相関出力ピークよりも小さい最小相関出力ピークの位置から見出されることを特徴とする請求項１に記載の方法。
【請求項４】
ＰＬは、最小相関出力ピークの位置、
Ｔｕは、ＯＦＤＭシンボルの変調の継続時間、
「ｍｏｄ」は、「モジュロ（ｍｏｄｕｌｏ）」演算のためのシンボル、
であるとすると、
前記微調整ステップは、以下の値
【数１】
2009502078.tif 000012
に従って行われることを特徴とする請求項３に記載の方法。
【請求項５】
Ｔｕ／ｎの倍数だけ離間される相関出力ピークの存在を検査することにより、前記推定チャンネルインパルス応答中のチャンネルインパルス応答レプリカの存在を検証するステップを含むことを特徴とする請求項１乃至４のいずれか一項に記載の方法。
【請求項６】
粗ＯＦＤＭシンボル同期化ステップと、請求項１乃至５のいずれか一項に記載の方法に係る精密ＯＦＤＭシンボル同期化段階とを含むことを特徴とするＯＦＤＭシンボル受信方法。
【請求項７】
ＯＦＤＭシンボル中に存在する受信された所定のパイロットから推定チャンネルインパルス応答を形成するためのチャンネルインパルス応答推定器であって、前記所定のパイロットは、ｎ個のキャリア周波数に対応する周波数間隔でＯＦＤＭシンボル内に配置され、それらの位置が一つのＯＦＤＭシンボルから次のＯＦＤＭシンボルへとｋ個のキャリア周波数だけシフトされ、それにより、ｍ＊ｋ＝ｎ（ｍ，ｎ及びｋは１よりも大きい整数）となる、チャンネルインパルス応答推定器と、
前記推定チャンネルインパルス応答中の少なくとも一つの出力ピークの位置に従って、ＯＦＤＭシンボルを受信するために使用される時間領域−周波数領域ウィンドウの位置を微調整するための微調整器であって、微調整のために使用される少なくとも一つの出力ピークの位置を見出すために、Ｔｕ／ｎ（ＴｕはＯＦＤＭシンボルの変調の継続時間）の倍数だけ離間される相関出力ピークの位置を使用するようになっている微調整器と、
を備えることを特徴とする精密ＯＦＤＭシンボル同期装置。
【請求項８】
前記微調整器は、ｘ個（ｘは３以上の奇数）の最高相関出力ピークの位置から、微調整のために使用される各相関出力ピークの位置を見出すように構成されていることを特徴とする請求項７に記載の同期装置。
【請求項９】
前記微調整器は、ｍ−１個の最高相関出力ピークよりも小さい最小相関出力ピークの位置から、微調整のために使用される各相関出力ピークの位置を見出すように構成されていることを特徴とする請求項７に記載の同期装置。
【請求項１０】
ＰＬは、最小相関出力ピークの位置、
Ｔｕは、ＯＦＤＭシンボルの変調の継続時間、
「ｍｏｄ」は、「モジュロ（ｍｏｄｕｌｏ）」演算のためのシンボル、
であるとすると、
前記微調整器は、以下の値
【数２】
2009502078.tif 000013
に従って微調整するように構成されていることを特徴とする請求項９に記載の同期装置。
【請求項１１】
ＯＦＤＭシンボルを受信するために使用される時間領域−周波数領域ウィンドウの粗い位置決めのための粗ＯＦＤＭ同期装置と、
前記時間領域−周波数領域ウィンドウの精密な位置決めのための請求項７乃至１０のいずれか一項に記載の精密ＯＦＤＭシンボル同期装置と、
を備えることを特徴とするＯＦＭＤシンボル受信器。
【発明の詳細な説明】
【技術分野】
【０００１】
本発明は、精密ＯＦＤＭシンボル同期化のための方法及び同期装置、並びに、ＯＦＤＭシンボルの受信のための方法／受信器に関する。
【背景技術】
【０００２】
精密ＯＦＤＭ（直交周波数分割多重）シンボル同期化方法において、
ＯＦＤＭシンボル中に存在する受信された所定のパイロットからチャンネルインパルス応答（ＣＩＲ）を推定するステップであって、上記所定のパイロットが、ｎ個のキャリア周波数に対応する周波数間隔でＯＦＤＭシンボル内に配置され、それらの位置が一つのＯＦＤＭシンボルから次のＯＦＤＭシンボルへとｋ個のキャリア周波数だけシフトされ、それにより、ｍ＊ｋ＝ｎ（ｍ，ｎ及びｋは１よりも大きい整数）となるステップと、
推定されたチャンネルインパルス応答中の少なくとも一つの出力ピークの位置に従って、ＯＦＤＭシンボルを受信するために使用される時間領域−周波数領域ウィンドウの位置を微調整するステップと、
を有する方法がある。
【０００３】
また、時間領域−周波数領域ウィンドウは、ＦＦＴ（高速フーリエ変換）−ウィンドウとしても知られている。
【０００４】
微調整ステップは、所定のレベルよりも高い出力を有する推定チャンネルインパルス応答中の最初の高出力ピークの位置に基づいている。
【０００５】
寄生効果によってＯＦＤＭシンボルの受信状態が乱されない場合、推定チャンネルインパルス応答は、「実質（ｒｅａｌ）チャンネル応答」に一致する出力ピークのみを与える。以下において「実質（ｒｅａｌ）ピーク」と呼ばれるこの出力ピークは、実質チャンネルインパルス応答に対応する。これらの状態では、既存の方法が正しく機能する。
【０００６】
受信状態がドップラー効果のようないくつかの寄生効果によって乱されると、推定チャンネルインパルス応答は複数の出力ピークを与える。これらの出力ピークの一部は実質チャンネルインパルス応答に対応する一方、他のピークは、実質チャンネルインパルス応答のレプリカ（複製）に対応する。実質チャンネルインパルス応答のレプリカに対応する出力ピークは、「ゴーストピーク」又は「レプリカピーク」又は「イメージピーク」として知られている。
【０００７】
特定の状況下では、いくつかのゴーストピークが実質ピークよりも高くなる可能性がある。これらの状況下では、既存の方法が実質ピークではなくゴーストピークを選択し、そのため、微調整が不正確になる。
【０００８】
この問題は、例えば、以下の参考文献に開示されている。
＜＜Ｓｙｍｂｏｌ  ｓｙｎｃｈｒｏｎｉｚａｔｉｏｎ  ｉｎ  ＯＦＤＭ  ｓｙｓｔｅｍ  ｆｏｒ  ｔｉｍｅ  ｓｅｌｅｃｔｉｖｅ  ｃｈａｎｎｅｌ  ｃｏｎｄｉｔｉｏｎｓ＞＞Ａｒｔｏ  Ｐａｌｉｎ，Ｊｕｋｋａ  Ｒｉｎｎｅ，Ｄｉｇｉｔａｌ  Ｍｅｄｉａ  Ｉｎｓｔｉｔｕｔｅ／Ｔｅｌｅｃｏｍｍｕｎｉｃａｔｉｏｎｓ  Ｔａｍｐｅｒｅ  Ｕｎｉｖｅｒｓｉｔｙ  ｏｆ  Ｔｅｃｈｎｏｌｏｇｙ，ＩＥＥＥ  １９９９（非特許文献１）
ＯＦＤＭシンボル同期化の基本的な知識もこの参考文献で見出すことができる。
【非特許文献１】＜＜Ｓｙｍｂｏｌ  ｓｙｎｃｈｒｏｎｉｚａｔｉｏｎ  ｉｎ  ＯＦＤＭ  ｓｙｓｔｅｍ  ｆｏｒ  ｔｉｍｅ  ｓｅｌｅｃｔｉｖｅ  ｃｈａｎｎｅｌ  ｃｏｎｄｉｔｉｏｎｓ＞＞Ａｒｔｏ  Ｐａｌｉｎ，Ｊｕｋｋａ  Ｒｉｎｎｅ，Ｄｉｇｉｔａｌ  Ｍｅｄｉａ  Ｉｎｓｔｉｔｕｔｅ／Ｔｅｌｅｃｏｍｍｕｎｉｃａｔｉｏｎｓ  Ｔａｍｐｅｒｅ  Ｕｎｉｖｅｒｓｉｔｙ  ｏｆ  Ｔｅｃｈｎｏｌｏｇｙ，ＩＥＥＥ  １９９９
【発明の開示】
【発明が解決しようとする課題】
【０００９】
従って、本発明の目的は、推定チャンネルインパルス応答中の最初の高出力ピークの位置に基づく方法よりも良好に機能する精密ＯＦＤＭシンボル同期化方法を提供することである。
【課題を解決するための手段】
【００１０】
上記目的及び他の目的を実現するため、本発明に従って、精密ＯＦＤＭシンボル同期化方法が提供され、上記推定チャンネルインパルス応答中にチャンネルインパルス応答レプリカが存在する場合には、微調整のために使用される少なくとも一つの出力ピークの位置を見出すために、Ｔｕ／ｎ（ＴｕはＯＦＤＭシンボルの変調の継続時間）の倍数だけ相互に離間される相関出力ピークの位置が使用される。
【００１１】
Ｔｕ／ｎの倍数だけ離間された相関出力ピークは、一つの実質ピーク及びゴーストピークに対応する。ゴーストピークの位置は、実質ピークの位置に関連付けられる。従って、相関出力ピークの位置は、微調整のために使用されるピークの位置を決定するための有用な情報を与える。その結果、実質ピーク以上のゴーストピークが存在する場合であっても正しい微調整を達成することが可能になる。従って、推定チャンネルインパルス応答中の最初の高出力ピークの位置に基づく方法よりも良好に機能する。
【００１２】
上記方法の実施の形態は、以下の特徴の一つ又は複数を備え得る。
【００１３】
−  微調整のために使用される各出力ピークの位置は、ｘ個（ｘは３以上の奇数）の最高相関出力ピークの位置から見出される。
【００１４】
−  微調整のために使用される各出力ピークは、ｍ−１個の最高相関出力ピークよりも小さい最小相関出力ピークの位置から見出される。
【００１５】
−  ＰＬは、最小相関出力ピークの位置、
Ｔｕは、ＯＦＤＭシンボルの変調の継続時間、
「ｍｏｄ」は、「モジュロ（ｍｏｄｕｌｏ）」演算のためのシンボル、
であるとすると、
上記微調整ステップは、以下の値
【数１】
2009502078.tif 000003
に従って行われる。
【００１６】
−  上記方法は、Ｔｕ／ｎの倍数だけ離間される相関出力ピークの存在を検査することにより、上記推定チャンネルインパルス応答中のチャンネルインパルス応答レプリカの存在を検証するステップを含む。
【００１７】
端末の上記実施の形態は、以下の利点を与える。
【００１８】
ｘ個の最高相関出力ピークの位置を使用することにより、方法のロバスト性が向上する。
【００１９】
推定チャンネルインパルス応答中の（ｍ−１）個の最高相関出力ピークの位置を使用することにより、最も低い相関出力ピークの位置の検出が、このピークの出力が非常に小さく又はほとんどゼロの場合であっても可能になる。
【００２０】
最も低い相関出力ピーク位置に
【数２】
2009502078.tif 000004
を加えて使用する微調整は、非常に良好な性能を得る。
【００２１】
チャンネルインパルス応答レプリカの存在を検証することにより、ゴーストピークの存在又は不存在に応じてＦＦＴ−ウィンドウ位置を微調整するための最良の方法を選択することができる。
【００２２】
本発明はまた、粗ＯＦＤＭシンボル同期化ステップと、上記精密ＯＦＤＭシンボル同期化段階とを含むＯＦＤＭシンボル受信方法にも関する。
【００２３】
本発明はまた、
ＯＦＤＭシンボル中に存在する受信された所定のパイロットから推定チャンネルインパルス応答を形成するためのチャンネルインパルス応答推定器であって、上記所定のパイロットは、ｎ個のキャリア周波数に対応する周波数間隔でＯＦＤＭシンボル内に配置され、それらの位置が一つのＯＦＤＭシンボルから次のＯＦＤＭシンボルへとｋ個のキャリア周波数だけシフトされ、それにより、ｍ＊ｋ＝ｎ（ｍ，ｎ及びｋは１よりも大きい整数）となる、チャンネルインパルス応答推定器と、
上記推定チャンネルインパルス応答中の少なくとも一つの出力ピークの位置に従って、ＯＦＤＭシンボルを受信するために使用される時間領域−周波数領域ウィンドウの位置を微調整するための微調整器であって、微調整のために使用される少なくとも一つの出力ピークの位置を見出すために、Ｔｕ／ｎ（ＴｕはＯＦＤＭシンボルの変調の継続時間）の倍数だけ離間される相関出力ピークの位置を使用するようになっている微調整器と、
を備える精密ＯＦＤＭシンボル同期装置にも関する。
【００２４】
上記同期装置の実施の形態は、以下の特徴の一つ又は複数を備え得る。
【００２５】
−  上記微調整器は、ｘ個（ｘは３以上の奇数）の最高相関出力ピークの位置から、微調整のために使用される各相関出力ピークの位置を見出すように構成されている。
【００２６】
−  上記微調整器は、ｍ−１個の最高相関出力ピークよりも小さい最小相関出力ピークの位置から、微調整のために使用される各相関出力ピークの位置を見出すように構成されている。
【００２７】
−  ＰＬは、最小相関出力ピークの位置、
Ｔｕは、ＯＦＤＭシンボルの変調の継続時間、
「ｍｏｄ」は、「モジュロ（ｍｏｄｕｌｏ）」演算のためのシンボル、
であるとすると、
上記微調整器は、以下の値
【数３】
2009502078.tif 000005
に従って微調整するように構成されている。
【００２８】
本発明はまた、
ＯＦＤＭシンボルを受信するために使用される時間領域−周波数領域ウィンドウの粗い位置決めのための粗ＯＦＤＭ同期装置と、
上記時間領域−周波数領域ウィンドウの精密な位置決めのための上記精密ＯＦＤＭシンボル同期装置と、
を備えるＯＦＭＤシンボル受信器にも関する。
【００２９】
本発明のこれらの態様及び他の態様は、以下の説明、図面及び請求項から明らかである。
【発明を実施するための最良の形態】
【００３０】
図１は、ＤＶＢ−Ｔ（地上波デジタルビデオ放送）携帯端末２を示している。例えば、端末２は、携帯電話である。
【００３１】
端末２は、ＯＦＤＭ通信プロトコルに従って無線信号を受信するようになっている。信号は、ＯＦＤＭシンボルを移送するために使用されるマルチキャリア信号である。
【００３２】
ＯＦＤＭシンボルを受信するための端末の構造は周知であり、従って、簡単のため、図１は、本発明を理解するために必要な内容だけを示している。
【００３３】
端末２は、無線信号を受信するためのアンテナ４と、入力８を介してアンテナ４に接続されたＯＦＤＭシンボル受信器６とを有する。例えば、受信器６は、受信信号に対応するベースバンド信号を出力１０を介して出力する無線周波数受信器である。
【００３４】
受信器６は、高速フーリエ変換器１４と、入力８にその入力が接続される粗同期装置１６とを有する。
【００３５】
変換器１４は、ＦＦＴ−ウィンドウの間に受信信号に対してＦＦＴ（高速フーリエ変換）を行うように構成されている。
【００３６】
同期装置１６は、ｐｏｓｔ−ＦＦＴ演算を行うことができるようにＦＦＴ−ウィンドウを十分正確に配置することからなる粗ＯＦＤＭシンボル同期化を行うようになっている。
【００３７】
同期装置１６は、変換器１４のＦＦＴ−ウィンドウ位置を調整するために粗調整命令を出力する。
【００３８】
ｐｏｓｔ−ＦＦＴ演算は、変換器１４によって出力される周波数領域内のシンボルに対して実行される演算に関連している。
【００３９】
受信器６は、ＯＦＤＭシンボル中に存在する散乱パイロットを使用して精密ＯＦＤＭシンボル同期化を行うための精密同期装置２０も有する。より正確には、パイロットは、推定チャンネルインパルス応答を受信器によって形成できるように信号中で繰り返し送られる所定のシンボルである。例えば、散乱パイロットは、これらの信号の受信の間の全体に亘って連続的に送られる。例えば、ＤＶＢ−Ｔ規格では、一つの所定のパイロットが一つのシンボルから次のシンボルへとｋ個のキャリア周波数だけシフトされ、それにより、当該パイロットは、ｍ個のＯＦＤＭシンボルごとに同じ周波数キャリアで送られる。一つのＯＦＤＭシンボル内には、ｎ個のキャリア周波数だけ離間されるキャリア周波数で所定のパイロットが配置される。従って、ｍ＊ｋ＝ｎとなる。ここで、ｍ，ｋ及びｎは１よりも大きい整数である。例えば、ｍは４に等しく、ｋは３に等しく、ｎは１２に等しい。これは、周知のプロセスであり、そのため、これ以上詳細には説明しない。
【００４０】
同期装置２０の入力は、シンボルを周波数領域で受信するために変換器１４の出力に対して接続されている。
【００４１】
同期装置２０は、受信信号中に存在する散乱パイロットから推定チャンネルインパルス応答を形成するためのチャンネルインパルス応答推定器２２と、微調整器２４とを有する。微調整器２４は、推定チャンネルインパルス応答中の実質ピークの位置に従ってＦＦＴ−ウィンドウの位置を微調整することができる。
【００４２】
調整器２４は、変換器１４のＦＦＴ−ウィンドウ位置を微調整するために変換器１４に対して微調整命令を出力する。
【００４３】
ここで、図２及び図３を参照して受信器６の動作について説明する。
【００４４】
図２のＯＦＤＭシンボル受信方法は粗同期化ステップ３０を有しており、このステップの間に、同期装置１６は、ＦＦＴ−ウィンドウのための粗い位置を計算してそれを変換器１４へ出力する。
【００４５】
粗同期化は、特許出願第ＷＯ２００５／００２１６４号に開示された方法に従って行われてもよい。
【００４６】
その後、ステップ３２において、変換器１４は、ＦＦＴ−ウィンドウによって規定された時間間隔の間に受信信号の高速フーリエ変換を行い、周波数領域の受信ＯＦＤＭシンボルを出力する。
【００４７】
その後、段階３４の間に、同期装置２０が精密シンボル同期化を行う。
【００４８】
段階３４の始めに、ステップ３６において、推定器２２は、変換器１４によって出力されたシンボル中に存在する散乱パイロットを使用して推定チャンネルインパルス応答を形成する。推定チャンネルインパルス応答は、所定のインパルスに応じた時間領域のチャンネルパワー特性を表している。一般に、チャンネルインパルス応答は、ＩＦＦＴ−ウィンドウ内でＩＦＦＴ（高速フーリエ逆変換）を使用して計算される。ＩＦＦＴ−ウィンドウは、
【数４】
2009502078.tif 000006
の幅である。ここで、Ｔｕは、ＯＦＤＭシンボルの継続時間に対応するＯＦＤＭシンボルの変調の継続時間−ガードインターバルである。ｍ及びｎは先に規定された整数である。
【００４９】
図３は、ステップ３６の間に推定器２２によって形成された推定チャンネルインパルス応答の一例を示している。受信信号は、強いドップラー効果によって乱される。
【００５０】
推定チャンネルインパルス応答は、二つのチャンネルインパルス応答レプリカ４０−４１に対応する６個の高出力ピークと、実質チャンネルインパルス応答４２とを有する。そのうちの高出力ピークは所定の限界Ｓ１よりも高い。レプリカ４０及び４１は、チャンネル応答４２の両側に対称的に配置されており、Ｔｕ／ｎに等しい時間間隔だけチャンネル応答４２のピークから離間されている。
【００５１】
また、図３は、チャンネルインパルス応答レプリカ４４に対応する二つの低出力ピークも示している。説明目的のため、レプリカ４４のピークの出力は、限界Ｓ１よりも低い。
【００５２】
レプリカ４４のピークは、レプリカ４０のピークの左側にあり、
【数５】
2009502078.tif 000007
に等しい時間間隔だけレプリカ４２のピークから離間されている。
【００５３】
応答４２のピークは、実質チャンネルインパルス応答に対応する実質ピークである。レプリカ４０、４１及び４４のピークは、例えばドップラー効果に起因するチャンネルインパルスレプリカに対応するゴーストピークである。
【００５４】
説明目的のため、レプリカ４０及び４１のピークは、応答４２のピークよりも高い出力を有する。そのため、この状態では、最初の高出力ピーク、即ち、レプリカ４０の最初のピークの位置に基づく微調整が正確に機能しない。
【００５５】
次に、ステップ３６の間に形成された推定チャンネルインパルス応答が図３に示されるものであると仮定する。
【００５６】
推定チャンネルインパルス応答が形成された場合、ステップ４８において、調整器２４は、推定チャンネルインパルス応答中のゴーストピークの存在を検証する。そうするために、調整器２４は、推定チャンネルインパルス応答を走査して、高出力ピーク、即ち、限界Ｓ１よりも高い出力ピークを検出する。
【００５７】
その後、調整器２４は、相互に関連付けられ且つＴｕ／ｎの倍数だけ離間される高出力ピークが存在するかどうかを決定する。そのような高出力ピークが存在する場合、このことは、ゴーストピークが存在することを意味する。そのような高出力ピークが存在しない場合には、推定チャンネルインパルス応答中にゴーストピークが存在しない。
【００５８】
調整器２４は、チャンネルインパルス応答レプリカの構造と実質チャンネルインパルス応答の構造とが相互に関連付けられており、それにより、それらの構造が類似しているという知識を使用する。例えば、図３において、各レプリカ４０、４１及び４４及び応答４２は、かなりの振幅の二つのピークを有する。
【００５９】
また、調整器２４は、各実質ピーク及びその対応するゴーストピークが常にＴｕ／ｎの倍数だけ離間されているという教示を使用する。
【００６０】
一つの実質ピーク及びその対応するゴーストピークだけが同時に処理されることが好ましい。
【００６１】
ステップ５０では、ゴーストピークが存在しない場合、調整器２４が推定チャンネルインパルス応答中の最も高い出力ピークの位置を見出す。その後、ステップ５２において、調整器２４は、この最も高い出力ピークの位置に基づいてＦＦＴ−ウィンドウの位置を微調整する。
【００６２】
一方、ステップ５４では、図３の場合のようにゴーストピークが存在する場合、調整器２４は、最も高い相関ピークの位置から、レプリカ４０の各低出力ゴーストピークの位置を見出す。各低出力ゴーストピークは、ｍ−１個の対応する最高相関ピークよりも小さい一つの出力だけを有する。低出力ゴーストピークは、他のｍ−１個の相関ピークからＴｕ／ｎの倍数だけ離間され且つ最も低い出力を有するピークに対応する。図３の推定チャンネルインパルス応答の場合には、レプリカ４４中に二つの低出力ゴーストピークが存在する。尚、ピーク４０−４２の位置に従って低出力ピークの位置を決定することにより、レプリカ４４のピークが所定の限界Ｓ１よりも高いか又は低いかどうかが重要でなくなる。例えば、ここでは、レプリカ４４のピークが限界Ｓ１よりも小さく、そのため、これらのピークはステップ４８の間に使用されない。レプリカ４４におけるピークの出力は、ゼロと同じ程度に小さくてもよい。また、低出力ゴーストピークの位置を決定するためには、応答４２のピークがレプリカ４０及び４１のピークより小さいことは重要ではない。
【００６３】
レプリカ４４のピークの位置が見出された場合、ステップ５８において、調整器２４は、応答４２の実質ピークの位置を特定する。実際には、各実質ピークの位置は、
【数６】
2009502078.tif 000008
に等しい所定の時間間隔だけレプリカ４４の対応する相関ピークの位置から離間されている。尚、実質ピーク位置は、常にＩＦＦＴ−ウィンドウ内に位置する。従って、以下の関係を使用して各実質ピーク位置を見出すことができる。
【数７】
2009502078.tif 000009
【００６４】
ここで、
ＰＲは、応答４２の一つの実質ピークの位置であり、
ＰＬは、レプリカ４４の一つの低出力ピークの位置であり、
【数８】
2009502078.tif 000010
は、足し算が
【数９】
2009502078.tif 000011
を法（ｍｏｄｕｌｏ）として実現されることを意味している。
【００６５】
ステップ６０では、各実質ピークにおける位置ＰＲが見出されると、調整器２４は、位置ＰＲに基づいてＦＦＴ−ウィンドウの位置を微調整する。
【００６６】
ステップ３２乃至ステップ６０は、繰り返されてもよい。
【００６７】
本教示によれば、実質ピークよりも高いゴーストピークが存在する場合であっても、実質ピーク位置を見出すことができることに留意することは重要である。
【００６８】
また、この方法は、各実質ピークにおける（ｍ−１）個のゴーストピークを消去するために使用することもでき、それにより、結果として得られる応答に対して標準的なアルゴリズムを適用することができる。
【００６９】
上記受信器及び方法は、シンボル同期化のためのパイロット及びＯＦＤＭ変調を使用する任意の通信システムで使用することができる。
【００７０】
また、ｘ個の最高相関出力ピークの間で、他の選択されたピークの対称軸に中心付けられる位置を有するピークを選択することもできる。尚、ｘは、３以上の奇数である。
【図面の簡単な説明】
【００７１】
【図１】ＯＦＤＭシンボル受信器を有する携帯端末の構造の概略図である。
【図２】ＯＦＤＭシンボル受信方法のフローチャートである。
【図３】推定チャンネルインパルス応答の図面である。
【図１】
2009502078.tif 000014
【図２】
2009502078.tif 000015
【図３】
2009502078.tif 000016
【国際調査報告】
2009502078.tif 000017
2009502078.tif 000018
2009502078.tif 000019